(57)【要約】【課題】ドアを簡単に開けることができるドアハンドルを提供すること。【解決手段】ドア面に縦向けに取り付けられたドアハンドルであって、握り部３が回動自在になっている。ドア面の上部及び下部に配されたドア面固定用脚部４，５にはそれぞれ回動自在に設けられた支持部材４９を具備させてあり、上部と下部に配されたドア面固定用脚部の支持部材４９を、握り部３の両端に設けた孔に嵌入してある。握り部３は、少なくとも上下部に支持部材４９を嵌入するための孔を設けてある。【選択図】  図７
2005023609.tif 000002
【特許請求の範囲】
【請求項１】
ドア面に縦向けに取り付けられたドアハンドルであって、握り部が回動自在になっていることを特徴とするドアハンドル。
【請求項２】
握り部が一方のドア面固定用脚部より延設された芯棒部に外嵌され、前記芯棒部の先端が他方のドア面固定用脚部に固定されたものであることを特徴とする請求項１記載のドアハンドル。
【請求項３】
握り部がドア面の上部及び下部に配されたドア面固定用脚部間に掛け渡された芯棒に外嵌されたものであることを特徴とする請求項１記載のドアハンドル。
【請求項４】
ドア面の上部及び下部に配されたドア面固定用脚部にはそれぞれ回動自在に支持部材を具備させてあり、上部と下部に配されたドア面固定用脚部の支持部材を、握り部の両端に設けた孔に嵌入してあることを特徴とするドアハンドル。
【請求項５】
握り部は、少なくとも上下部に支持部材を嵌入するための孔を設けてあることを特徴とする請求項４記載のドアハンドル。
【発明の詳細な説明】
【０００１】
【発明の属する技術分野】
この発明は、建物用ドアのドア面に縦向けに取り付けたドアハンドルに関するものである。
【０００２】
【従来の技術】
従来のドアハンドルは、握り部の両端部にドア面固定用脚部を固定したものであり、握り部は回動できないものであった（例えば、特許文献１参照。）。
【０００３】
したがって、ドアを開けるときには、ドアハンドルの握り部を持ち、ドアを開けながら手のひらの中で握り部を滑らせていた。また、ドアにはバネの力によりドアを自動的に閉じる装置が取り付けられており、ドアをバネの力に抗して開ける必要があった。
【０００４】
【特許文献１】
特開平１０−２２００８１号公報
【０００５】
【発明が解決しようとする課題】
上記のように、ドアを開けるときには、バネの力に抗して開けなければならないため、しっかりと握り部を握る必要があるにもかかわらず、握り部を手のひらの中で滑らせる必要があるためしっかりと握り部を握ることができなかった。
【０００６】
そのため、腕に力が入りにくく、ドアが開けにくいという問題があった。
【０００７】
そこで、この発明では、上記の問題点を解決し、ドアを簡単に開けることができるドアハンドルを提供することを目的とする。
【０００８】
【課題を解決するための手段】
（請求項１記載の発明）
この発明は、ドア面に縦向けに取り付けられたドアハンドルであって、握り部が回動自在になっている。
【０００９】
（請求項２記載の発明）
この発明のドアハンドルは、請求項１記載の発明に関し、握り部が一方のドア面固定用脚部より延設された芯棒部に外嵌され、前記芯棒部の先端が他方のドア面固定用脚部に固定されたものである。
【００１０】
（請求項３記載の発明）
この発明のドアハンドルは、請求項１記載の発明に関し、握り部がドア面の上部及び下部に配されたドア面固定用脚部間に掛け渡された芯棒に外嵌されたものである。
【００１１】
（請求項４記載の発明）
この発明のドアハンドルは、ドア面の上部及び下部に配されたドア面固定用脚部にはそれぞれ回動自在に設けられた支持部材を具備させてあり、上部と下部に配されたドア面固定用脚部の支持部材を、握り部の両端に設けた孔に嵌入してある。
【００１２】
（請求項５記載の発明）
この発明のドアハンドルは、上記請求項４記載の発明に関し、握り部は、少なくとも上下部に支持部材を嵌入するための孔を設けてある。
【００１３】
なお、上記した発明のドアハンドルの作用・効果については以下の発明の実施の形態の欄で説明する。
【００１４】
【発明の実施の形態】
以下、この発明を実施形態として示した図面に従って説明する。
〔実施形態１〕
図１は、この発明の実施形態におけるドアハンドル１をドア２に取り付けた状態を示す斜視図、図２は、この発明のドアハンドル１の実施例を示す分解斜視図、図３はドアハンドル１の上部を示す一部切欠断面図である。
【００１５】
このドアハンドル１は、図１に示すように、建物用ドアのドア面に縦向けに取り付けて使用されるものであり、握り部３が回動自在になっている。
【００１６】
このドアハンドル１は、図２に示すように、２個のドアハンドル１のドア面固定用脚部４，５と、握り部３と、２個の軸受６，６とを有しており、２個のドア面固定用脚部４，５のドア面側端は、公知の固定構造によりドア面に固定されるようになっている。
【００１７】
上記した上側のドア面固定用脚部４は、ドア面に垂直な垂直部４ａと、ドア面に平行な平行部４ｂからなり、平行部４ｂには後述する芯棒部の先端部を嵌入する四角孔４ｃを形成したリング４ｄを固着している。なお、符号４ｅは、ドア面固定用脚部４の平行部４ｂと芯棒部の先端部を係止するための止めネジである。
【００１８】
上記した下側のドア面固定用脚部５は、図２に示すように、ドア面に垂直な垂直部５ａと、ドア面に平行な平行部５ｂからなり、平行部５ｂの先には平行部５ｂよりも外径が小さくなった円柱状の芯棒部５ｃを一体に形成している。さらに、芯棒部５ｃの先端には、図２や図３に示すように、四角柱状に形成された角柱部５ｄを形成しており、そこには前記止めネジ４ｄの先を嵌入可能な孔５ｅを設けている。
【００１９】
握り部３は、図２に示すように、円筒状に形成されており、両端部には軸受６を嵌入している。軸受６は、一端に鍔部６ａが形成された鍔付きの滑り軸受であり、ナイロンで形成されている。この軸受６は、握り部３がドア面固定用部４，５と直接接触して摩擦音を発しないようにすると共に、摩擦抵抗を少なくして容易に握り部が回動できるようにするためのものである。
【００２０】
そして、ドア面固定用脚部４とドア面固定用脚部５は、図３に示すように、ドア面固定用脚部５の角柱部５ｄをドア面固定用脚部４のリング４ｄの四角孔４ｃに嵌入し、止めネジ４ｅで固定することにより連結されている。
【００２１】
以上のように、この実施形態のドアハンドル１は、握り部３が芯棒部５ｃに外嵌しており、しかも握り部３とドア面固定用脚部４，５との間に軸受６を設けているので、握り部３が芯棒部５ｃを中心としてスムーズに回動できるようになっている。
【００２２】
〔実施形態２〕
この実施形態２のドアハンドル１０は、上記実施形態１の構造に変えて、芯棒部をドア面固定用脚部と別体にしたものである。なお、この構造について図４に示すが、上下部の構造は完全に同一であるので図面には示さない。
【００２３】
この実施形態のドアハンドル１０は、２個のドア面固定用脚部４０，４０と、握り部３０と、２個の軸受６０，６０とを有しており、２個のドア面固定用脚部４０，４０のドア側面は、公知の固定構造によりドア面に固定されるようになっている。
【００２４】
ドア面固定用脚部４０は、ドア面に垂直な垂直部４１と、ドア面に平行な平行部４２からなり、平行部４２の先には芯棒５０の端の雄ねじ部５１を螺入する雌ねじ部４３を形成したリング４４が固着されている。さらに前記リング４４の握り部側端４５は円筒状に形成されている。尚、符号４６は、ドア面固定用脚部４０の平行部４２と芯棒５０の端の雄ねじ部５１を係止するための止めネジである。
【００２５】
芯棒５０は、両端に雄ねじ部５１を形成した丸棒である。握り部３０は、円筒状に形成された握り部本体３１と、握り部本体３１に一端を嵌入固定されたスペーサ３２からなり、握り部本体３１内に嵌入された部分はリング状に形成され、握り部本体３１より突出した部分３３は円筒状に形成され、前記リング４４の握り部側端４５内に嵌入可能なようになっている。そして、スペーサ３２の握り部本体３１より突出した部分３３の外側には軸受６０を嵌着している。
【００２６】
軸受６０は、一端に鍔部が形成された鍔付きのすべり軸受であり、ナイロンで形成されている。この軸受６０は、握り部３０とドア面固定用脚部４０とが直接接触して摩擦音を発しないようにすると共に、摩擦抵抗を少なくして容易に回動できるようにするためのものである。
【００２７】
そして、上側のドア面固定用脚部４０と下側のドア面固定用脚部４０は、ドア面固定用脚部４０のリング４４の雌ねじ部４３に芯棒５０の雄ねじ部５１を螺合し、さらに止めネジ４６で固定されている。
【００２８】
したがって、芯棒５０は両ドア固定用脚部４０間に架設されるようになり、上側のドア面固定用脚部４０と下側のドア面固定用脚部４０は、芯棒５０により連結されている。
【００２９】
以上のように、この実施形態のドアハンドル１０は、握り部３０が芯棒５０に外嵌しており、しかも握り部３０とドア面固定用脚部４０との間に軸受６０を設けているので、握り部３０が芯棒５０を中心としてスムーズに回動するようになっている。
【００３０】
したがって、ドアハンドル１の握り部３を握ってドア２を開けると、図５に示すように、従来のドアハンドルであれば、手のひらの中で握り部を滑らせなければ、手は二点鎖線で示した位置になるが、このドアハンドル１では握り部３が回動自在であるので、手のひらの中で握り部を滑らせなくても手は実線で示した位置になる。
【００３１】
〔実施形態３〕
この実施形態３のドアハンドル１１は、図６や図７に示すように、ドア面固定用脚部４，５にそれぞれ回動自在に設けられた支持部材４９，５９を、握り部３３３の上下開放端に、嵌入して成るものである。
【００３２】
握り部３３は、図６や図７に示すように、硬質の合成樹脂で円筒状に形成されたものであり、各端部から後述する支持主体４９ａの幅分だけ中央部孔３３ｂよりも少し大きな拡大径孔３３ａとしてある。
【００３３】
ドア面固定用脚部４は、図７や図８に示すように、主として内側壁４７ａと両端壁４７ｂ，４７ｃとを形成する第１部材４７と、主として外側壁４８ａを形成する第２部材４８と、第１部材４７の一端壁４７ｃに回動自在に且つ抜け止め状態に取り付けられる支持部材４９とから構成されており、図７に示す組み立て状態では中央部がＲ状に湾曲した略Ｌ字状に形成されている。なお、このドア面固定用脚部４は弾性を有する合成樹脂により構成されている。
【００３４】
第１部材４７は、図７や図８に示すように、内側壁４７ａに補強用リブ４７ｈを、一端壁４７ｃに組付用孔４７ｆ及び支持部材４９を取り付けるための挿通孔４７ｇを、他端壁４７ｂに組付用孔４７ｄ及びドアに取り付けるためのねじ挿通孔４７ｅを、それぞれ設けてある。
【００３５】
第２部材４８は、図７や図８に示すように、外側壁４８ａの内面側には第１部材４７への組付時には組付用孔４７ｄに嵌入される突片４８ｂ、及び組付用孔４７ｆに嵌入される突片４８ｃを、それぞれ設けてある。
【００３６】
支持部材４９は、図７や図８に示すように、上記拡大径孔３３ａに嵌まり込む支持主体４９ａと、上記挿通孔４７ｇに強制嵌入される挿入部４９ｂ（係止膨出部４９ｄ以外の部分は挿通孔４７ｇより少し小径に設定）とから構成されている。ここで、支持主体４９ａには複数本の周溝４９ｃを設けることにより握り部３３への挿入がスムーズに行われるようにしてあり、他方、挿入部４９ｂにその先端部に挿通孔４７ｇより大径の係止膨出部４９ｄを設けると共に先端に向かって開放する複数本の割溝４９ｅを設けることにより、挿通孔４７ｇへの強制嵌入、及び前記強制嵌入後の抜け止め状態を実現させている。
【００３７】
このドア面固定用脚部４は、以下の順序で行うと効率的に組み立てることができる。
【００３８】
先ず、第１部材４７の挿通孔４７ｇに支持部材４９の挿入部４９ｂを強制的に押し込む。すると、係止膨出部４９ｄが縮径して挿入でき、係止膨出部４９ｄが挿入部４９ｂを通過すると当該４９ｄが拡径して抜け止め状態になる。なお、この状態では、支持部材４９は他端壁４７ｃに回動自在になっている。
【００３９】
次に、組付用孔４７ｄに突片４８ｂに挿入し、この状態を維持しながら第１部材４７を第２部材４８内に挿入していく。すると挿入完了後直前に突片４８ｃのカギ部は組付用孔４７ｆに嵌まり込み、これにより組立作業は完了する。
【００４０】
上記のドア面固定用脚部４の構造及び組立は、ドア面固定用脚部５についても同様に適用されている。
【００４１】
この実施形態３のドアハンドル１１では握り部３３は、支持部材４９と共に第１，第２部材４７，４８に対して一体的にスムーズに回動するようになっている。
【００４２】
なお、このドアハンドル１１では、ドア２に設けた挿通孔Ｈを利用してボルト止めする場合、例えば、以下のようにする。
【００４３】
先ず、支持部材４９が回動自在に取り付けられた第１部材４７の組付用孔４７ｄを利用してボルトＢとナットＮでドア２に止め、同様にドア面固定用脚部５についても支持部材が回動自在に取り付けられた第１部材の組付用孔を利用してボルトとナットでドア２に止める。この作業の際、握り部３３の両端を支持部材に外挿させる。
【００４４】
次に、上下のボルトＢとナットＮをしっかりと閉め付け、その後、組付用孔４７ｄに突片４８ｂを挿入し、第１部材４７を第２部材４８に外挿させるとドアハンドル１１のドア２への施工は完了する。
【００４５】
【発明の効果】
この発明は上記のような構成であるから次の効果を有する。
【００４６】
上述のように、この発明のドアハンドルでは、握り部が回動自在になっており、握り部の手のひらの中で滑らせる必要が無いので、しっかりと握り部を握ることができ、ドアを簡単に開けることができる。
【図面の簡単な説明】
【図１】この発明の実施形態１のドアハンドルをドアに取り付けた状態を示す斜視図。
【図２】前記ドアハンドルの分解斜視図。
【図３】図２に示すドアハンドルの上部の一部切欠断面図。
【図４】この発明の実施形態２のドアハンドルを示す一部切欠断面図。
【図５】前記実施形態２のドアハンドルの使用時の状態を説明する説明図。
【図６】この発明の実施形態３のドアハンドルをドアに取り付けた状態を示す斜視図。
【図７】前記実施形態３のドアハンドルの部分断面図。
【図８】前記実施形態３のドアハンドルを構成するドア面固定用脚部の分解斜視図。
【符号の説明】
１，１０，１１    ドアハンドル
２                ドア
３，３０，３３    握り部
４，５            ドア面固定用脚部
４７              第１部材
４８              第２部材
４９              支持部材
【図１】
2005023609.tif 000003
【図２】
2005023609.tif 000004
【図３】
2005023609.tif 000005
【図４】
2005023609.tif 000006
【図５】
2005023609.tif 000007
【図６】
2005023609.tif 000008
【図７】
2005023609.tif 000009
【図８】
2005023609.tif 000010